【事件の表示】
　平成１１年特許願第　６４９１１号「照明器具取付装置」拒絶査定不服審判事件〔平成１２年　９月２２日出願公開、特開２０００−２６０２２１号〕について、次のとおり審決する。
【結　論】
　本件審判の請求は、成り立たない。
【理　由】
１．手続の経緯
　本件出願は、平成１１年３月１１日の出願であって、平成１６年１０月１５日付けで拒絶査定がなされ、これに対し、同年１１月２５日に拒絶査定不服審判の請求がなされるとともに、同年１２月２２日に手続補正がなされた。
　その後、当審において、平成１９年５月１５日付けで前記手続補正が却下されるとともに、最後の拒絶の理由が通知され、これに対し、同年７月１２日に手続補正がなされたものである。
　
２．平成１９年７月１２日付けの手続補正についての補正却下の決定
［補正却下の決定の結論］
　平成１９年７月１２日付けの手続補正を却下する。
［理由］
（１）補正後の本願発明
　平成１６年１２月２２日付けの手続補正は却下されているので、平成１９年７月１２日付けの手続補正（以下「本件補正」という。）は、平成１６年９月１７日付けの手続補正により補正された明細書を補正するものである。そして、本件補正は、特許請求の範囲について、
「【請求項１】係止段を有して天井面に設置された配線器具と、この配線器具に嵌合する嵌合部を有し前記係止段に係脱自在に進退する係止片を前記嵌合部に有しこの係止片を前記係止段に係止する方向に突出付勢するばねを有する器具ホルダを設けた器具本体とを備え、
　前記器具ホルダは、下面および前記嵌合部の双方に連通開口する凹部を有して、前記ばねが前記凹部内に支持されるとともに、前記凹部の下面側を塞ぐカバーを有し、
　前記カバーが前記凹部側に凹んだカバー凹部を有するとともに、前記カバー凹部に操作部用開口を形成したものであり、
　前記係止片は前記凹部内の前記カバーで塞がれた隙間にスライド自在に支持されるとともに、前記係止片を前記ばねに抗して前記係止段から離脱操作する解除操作部を前記凹部から前記操作部用開口を通して前記カバー凹部内に突設したことを特徴とする照明器具取付装置。」
との記載を
「【請求項１】係止段を有して天井面に設置される配線器具と、この配線器具に嵌合する嵌合部を有し前記係止段に係脱自在に進退する係止片を前記嵌合部に有しこの係止片を前記係止段に係止する方向に突出付勢するばねを有する器具ホルダを設けた器具本体とを備え、
　前記器具ホルダは、下面および前記嵌合部の双方に連通開口する凹部を有して、前記ばねが前記凹部内に支持されるとともに、前記凹部の下面側を塞ぐカバーを有し、
　前記カバーが
前記下面および前記嵌合部にまたがって
　前記係止片は前記凹部内の前記カバーで塞がれた隙間にスライド自在に支持される
ものであって、前記ばねにより前記嵌合部に突出して前記係止段に係止可能な係止爪と、前記係止爪を
からなり、前記解除操作部
と補正するものである。
　
　前記補正は、請求項１に記載した発明を特定するために必要な事項である「カバー凹部」について、補正前の「前記凹部側に凹んだカバー凹部」を「
前記下面および前記嵌合部にまたがって
ものであって、前記ばねにより前記嵌合部に突出して前記係止段に係止可能な係止爪と、前記係止爪を
からなり、前記解除操作部
　
（２）引用例
　当審で通知した拒絶の理由に引用された本件出願前に頒布された刊行物である特開平７−１２２１０７号公報（以下「引用例」という。）には、図１〜図８とともに以下の事項が記載されている。
　
（ａ）「【０００９】　
【実施例】この発明の第１の実施例を図１ないし図４により説明する。すなわち、この照明器具取付装置は、取付具１と、器具本体２とを有する。まず引掛シーリング３は、天井４９に木ねじ等により取付けられるもので、下面の差し込み開口１０の内側に受け刃（図示せず）を有する。　
【００１０】取付具１は、引掛シーリング３に引っ掛ける公知の栓刃（図示せず）を上面に有し、側面に係止段部５を有し、栓刃にコード９を介して接続されたコネクタ８を外部に引出している。したがって、栓刃を引掛シーリング３の差し込み開口１０に差し込み時計方向に回転すると、栓刃が受け刃に引っ掛け係止して取付状態になるとともに、栓刃が引掛シーリング３に電気的に接続されたこととなる。なお、取付具１の上面にロック突起（図示せず）を付勢状態に突出し、引掛シーリング３の係止凹部（図示せず）に係止することにより取付具１の不用意な外れを防止している。取付具１を外すときは取付具１の外周の凹部１５内に設けたロックレバー１６を押してロック突起を後退させ、係止凹部から離脱する。　
【００１１】器具本体２は、取付具１およびコネクタ８を挿通する挿通部１４を有し、係止段部５に係脱自在に係止する係止具７を有し、コネクタ８に着脱自在に接続するコネクタ受け１１を下面に固定している。実施例の器具本体２は直管蛍光ランプを装着する複数のランプソケット１２を両端部に相対向するように設けている。１３は点灯ブロックである。　
【００１２】挿通部１４は器具本体２の重心となる中央部に形成されている。係止具７は挿通部１４に設けられ、中央に取付具１に嵌合する筒部４７を有し、筒部４７の内面に係止部３１を突出させる孔３５を有し、孔３５の外側に係止部３１を収納する下面開放の収納空間３６を形成し、係止部３１を孔３５より内方に突出付勢するばね４１を収納空間３６に配設して、カバー３７で閉じている。　
【００１３】係止部３１は先端部が係止段部５の周方向に沿って円弧凹状に形成されるとともに、取付具１に筒部４７が嵌合するとき係止部３１を後退させるため上縁にガイドテーパ４２を有し、またカバー３７の開口部３８より係止部３１の操作レバー３９を突出している。さらに係止部３１の幅は凹部１５の切欠開口の幅よりも大きくして係止部３１が係止段部５から外れないようにしている。」
　
（ｂ）「【００１５】器具本体２を取付けるときは、引掛シーリング３に取付具１を固定した状態で、器具本体２を押し上げて係止具７の筒部４７を取付具１に嵌合すると係止部３１のテーパガイド４２が取付具１の周縁に当接して押されて係止部３１がばね４１に抗して後退し、係止段部５の位置で突出して係止する。この状態で器具本体２の上面の中央部から離れた部分が天井４９に接近する。またこの状態でコネクタ８をコネクタ受け１１に容易に着脱することができる。一方、操作レバー３９を引き操作すると係止部３１が係止段部５から外れるので器具本体１を引き下ろすことができる。」
　　
（ｃ）図２には、カバー３７が下面が凹んだ開口部３８を有する点、係止部３１が収納空間３６内のカバー３７で閉じられた隙間に設けられる点、操作レバー３９を収納空間３６から開口部３８を通して突出させた点が図示されている。
　
　したがって、前記引用例記載事項（ａ）、（ｂ）及び図示内容（ｃ）を総合すると、引用例には、次の発明（以下「引用発明」という。）が記載されていると認められる。
　
「係止段部５を有し、栓刃にコード９を介して接続されたコネクタ８を外部に引き出しており、栓刃を天井４９に取り付けられた引掛シーリング３の差し込み開口１０に差し込み時計方向に回転すると、栓刃が受け刃に引っ掛け係止して取付状態になるとともに、栓刃が引掛シーリング３に電気的に接続されたこととなる取付具１と、この取付具１に嵌合する筒部４７を有し前記係止段部５に係止する係止部３１を筒部４７が有する孔３５より内方に突出するように設けこの係止部３１を筒部４７が有する孔３５より内方に突出付勢するばね４１を有する係止具７を設けた器具本体２とを備え、
　前記係止具７は、下面解放の収納空間３６を有して、前記ばね４１が前記収納空間３６に配設されるとともに、前記収納空間３６を閉じるカバー３７を有し、
　前記カバー３７が前記下面が凹んだ開口部３８を有するとともに、開口部３８より係止部３１の操作レバー３９を突出したものであり、
　前記係止部３１は前記収納空間３６内の前記カバー３７で閉じられた隙間にばね４１に抗して後退し、係止段部５の位置で突出して係止するように設けられるものであって、前記ばね４１により前記筒部４７が有する孔３５より内方に突出して前記係止段部５に係止し、前記係止部３１を前記ばね４１に抗して前記係止段部５から外れるように操作する操作レバー３９を前記収納空間３６から前記開口部３８を通して突出させた照明器具取付装置。」
　
（３）対比
　そこで、本願補正発明と引用発明とを対比すると、引用発明の「係止段部５」、「筒部４７」、「係止部３１」、「操作レバー３９」は、それぞれ本願補正発明の「係止段」、「嵌合部」、「係止爪」、「解除操作部」に相当し、引用発明の「係止部３１」と「操作レバー３９」とで、本願補正発明の「係止片」を構成する。
　そうすると、引用発明の「係止段部５を有し、栓刃にコード９を介して接続されたコネクタ８を外部に引き出しており、栓刃を天井４９に取り付けられた引掛シーリング３の差し込み開口１０に差し込み時計方向に回転すると、栓刃が受け刃に引っ掛け係止して取付状態になるとともに、栓刃が引掛シーリング３に電気的に接続されたこととなる取付具１」は、引掛シーリング３を介して天井面に取り付けられており、配線のための機能も有するものであるから本願補正発明の「係止段を有して天井面に設置された配線器具」に相当する。
　また、引用発明の「前記係止段部５に係止する係止部３１を筒部４７が有する孔３５より内方に突出するように設」けるという構成は、係止片を構成する係止爪が嵌合部に設けた孔３５を通して係止段に係脱自在に進退するものであり、係止片を構成する係止爪が嵌合部に設けられていると解されるから本願補正発明の「前記係止段に係脱自在に進退する係止片を前記嵌合部に有」するという構成に相当する。そして、引用発明の「係止部３１を筒部４７が有する孔３５より内方に突出付勢するばね４１」は、係止片を構成する係止爪を孔３５より内方、つまり係止段に係止する方向に付勢するものであるから本願補正発明の「係止片を前記係止段に係止する方向に突出付勢するばね」に相当する。そうすると、引用発明の「係止具７」は、本願補正発明の「器具ホルダ」に相当する。
　同様に、引用発明の「下面解放の収納空間３６」は、引用例の図２をみると孔３５により嵌合部の内面側にも連通開口していると認められるから本願補正発明の「下面および前記嵌合部の双方に連通開口する凹部」に相当し、引用発明の「ばね４１が前記収納空間３６に配設される」という構成は、本願補正発明の「ばねが前記凹部内に支持される」という構成に相当する。
　さらに、引用発明の「前記収納空間３６を閉じるカバー３７」は、本願補正発明の「凹部の下面側を塞ぐカバー」に相当し、引用発明の「前記カバー３７が前記下面が凹んだ開口部３８を有するとともに、開口部３８より係止部３１の操作レバー３９を突出した」という構成と、本願補正発明の「前記カバーが前記下面および前記嵌合部にまたがって凹んだカバー凹部を有するとともに、前記カバー凹部に操作部用開口を形成した」という構成とは、カバーが下面が凹んだカバー凹部を有するとともに、カバー凹部に操作部用開口を形成したものである点において共通する。　
　そして、引用発明の「前記係止部３１は前記収納空間３６内の前記カバー３７で閉じられた隙間にばね４１に抗して後退し、係止段部５の位置で突出して係止するように設けられるものであって、前記ばね４１により前記筒部４７が有する孔３５より内方に突出して前記係止段部５に係止し、前記係止部３１を前記ばね４１に抗して前記係止段部５から外れるように操作する操作レバー３９を前記収納空間３６から前記開口部３８を通して突出させた」という構成と、本願補正発明の「前記係止片は前記凹部内の前記カバーで塞がれた隙間にスライド自在に支持されるものであって、前記ばねにより前記嵌合部に突出して前記係止段に係止可能な係止爪と、前記係止爪を前記ばねに抗して前記係止段から離脱操作する解除操作部からなり、前記解除操作部を前記凹部から前記操作部用開口を通して前記カバー凹部内に突設した」という構成とは、係止片は凹部内のカバーで塞がれた隙間にスライド自在に支持されるものであって、ばねにより嵌合部に突出して係止段に係止可能な係止爪と、係止爪をばねに抗して係止段から離脱操作する解除操作部からなり、解除操作部を凹部から操作部用開口を通してカバー凹部側に突設した点において共通する。　
　
　以上のとおりであるから、本願補正発明と、引用発明とは、次の点で一致する。
「係止段を有して天井面に設置された配線器具と、この配線器具に嵌合する嵌合部を有し前記係止段に係脱自在に進退する係止片を前記嵌合部に有しこの係止片を前記係止段に係止する方向に突出付勢するばねを有する器具ホルダを設けた器具本体とを備え、
　前記器具ホルダは、下面および前記嵌合部の双方に連通開口する凹部を有して、前記ばねが前記凹部内に支持されるとともに、前記凹部の下面側を塞ぐカバーを有し、
　前記カバーが前記下面が凹んだカバー凹部を有するとともに、前記カバー凹部に操作部用開口を形成したものであり、
　前記係止片は前記凹部内の前記カバーで塞がれた隙間にスライド自在に支持されるものであって、前記ばねにより前記嵌合部に突出して前記係止段に係止可能な係止爪と、前記係止爪を前記ばねに抗して前記係止段から離脱操作する解除操作部からなり、前記解除操作部を前記凹部から前記操作部用開口を通してカバー凹部側に突設した照明器具取付装置。」
　
　一方で、両者は、次の点で相違する。
［相違点１］カバー凹部について、本願補正発明は、下面および嵌合部にまたがって凹んでいるのに対し、引用発明では、下面は凹んでいるものの下面および嵌合部にまたがって凹んでいない点。
　
［相違点２］解除操作部について、本願補正発明は、カバー凹部内に突設しているのに対し、引用発明は、カバー凹部内のみならずカバー凹部の外側にも突設されている点。
　
（４）判断
［相違点１］について
　係止爪をばねに抗して係止段から離脱操作する解除操作部を用いた照明器具取付装置において、解除操作部の下側及び照明器具の断面中心側に他の部材を配置せず、開口から突出した解除操作部全体を下側から照明器具の断面中心側にまたがって露出させ解除操作部の操作面とすることは、例えば特開平７−３２０５２５号公報（特に段落【００７８】〜【００８０】、図２９、図３０、図３３参照）、特開平７−３７４１２号公報（特に段落【００３５】〜【００３７】、図２１〜図２６参照）等にも記載されているように本件出願前より周知の技術である。
　そして、解除操作部の操作面に関して、引用発明も下面が凹んだカバー凹部により下側及び照明器具の断面中心側を解除操作部の操作面とするものであるから、前記周知技術にならって、開口から突出した解除操作部全体が下側から照明器具の断面中心側にまたがって露出するように、本願補正発明の相違点１に係る発明特定事項とすることは当業者が容易に想到し得たものである。
　
［相違点２］について
　係止爪をばねに抗して係止段から離脱操作する解除操作部を用いた照明器具取付装置において、解除操作部の下端がその周囲の部材の高さ方向の範囲内に位置するように解除操作部を突設することは、例えば前記特開平７−３２０５２５号公報（特に【００７８】〜【００８０】、図２９、図３０、図３３参照）、特開平７−３７４１２号公報（特に段落【００３５】〜【００３７】、図２１〜図２６参照）等にも記載されているように本件出願前より周知の技術である。
　そして、解除操作部とカバー凹部に関し、引用発明は解除操作部を凹部から操作部用開口を通してカバー凹部側に突設したものであるから、前記周知技術にならって、解除操作部の下端がその周囲の部材であるカバー凹部の高さ方向の範囲内に位置するように解除操作部を突設させること、つまり、解除操作部をカバー凹部内に突設させることは当業者が容易に想到し得たものである。
　なお、引用例の図２には、カバーではないものの器具ホルダの下端と、解除操作部の下端とを同程度の高さにしたものが図示されているとみることができ、また、引用例の図２に図示された器具ホルダは、本願補正発明の実施例である図３に図示された器具ホルダに比べて、その高さを低くしたことにより解除操作部がカバー凹部の外側にも突設したとみることができるから、器具ホルダの高さを低くし、器具本体の薄型を行うことができるという本願補正発明の効果について、引用発明も同等の効果を奏しているとみることができる。
　
　そして、本願補正発明の作用効果についても、引用発明及び周知技術から当業者が予測できる範囲のものである。
　
（５）平成１９年７月１２日付け意見書における審判請求人の主張について
　審判請求人は、平成１９年７月１２日付けの意見書において、引用例に記載された事項及び先の周知技術と比較して、本願補正発明が、以下の点で相違する旨、主張している。
（ａ）器具ホルダを下から見上げた場合に、引っ掛けシーリングボディが通る中央の嵌合部からカバー凹部に連続した凹みを形成していますので、解除操作部を操作する際、カバー凹部がたとえば親指のガイドの役目をします。すなわち親指を中央の嵌合部の位置からカバー凹部に移動することで、解除操作部を操作することができますので操作がスムースに行えます。
（ｂ）照明器具を下方から見た場合に解除操作部自体は見えにくいとしても、目につき易いカバー凹部内にあることで操作しやすくなっていますし、カバー凹部が嵌合部に連続した形をなしていることが意匠的にも優れたものとなっています。
（ｃ）カバー凹部内に解除操作部を突設したことにより、器具ホルダが、器具本体とは別の、それ自体が搬送、組み立て等、取り扱われる本体の部品である場合、解除操作部が他物に当たることがないという効果があります。
（ｄ）たとえば親指を必ずカバー凹部内に入れて操作する必要があり、そのため解除操作部を操作することにより照明器具が引っ掛けシーリングから外れて落下するとき、親指がカバー凹部内に嵌まった状態で他の指で器具の下面を支えることができますので、他の指がかかる掛かり部を器具に設けなくても器具が手から滑り落ちるのを親指で防止することができます。
　
　そこで、これらの点について、以下に検討する。
［（ａ）について］
　引用発明のカバー３７も下面が凹んで操作レバー３９につながっているから、操作レバー３９の操作時には、指のガイドの役目を果たし得るものと考えられる。
　また、引用発明に、前記「（４）判断」で示した周知技術を適用すれば、解除操作部の操作時において、指を中央の嵌合部の位置からカバー凹部にスムースに移動できると考えられ、指をガイドする機能について、本願補正発明と同様の作用、効果を奏するというべきである。
　
［（ｂ）について］
　引用発明の解除操作部もカバーの凹みに存在するものであり、その視認性について、格別の相違はないというべきである。
　また、引用発明に、前記「（４）判断」で示した周知技術を適用すれば、カバー凹部を嵌合部に連続した形とすることができ、解除操作部の視認性や、意匠性について、本願補正発明と同様の作用、効果を奏するというべきである。
　
［（ｃ）について］
　本願補正発明は、器具ホルダが、それ自体で搬送、組み立て等、取り扱われる器具本体の部品であること、つまり器具ホルダが器具本体に取り付けられる別の部品であることまでは、限定されておらず、前記（ｃ）の主張は認めることができない。
　また、引用発明に、前記「（４）判断」で示した周知技術を適用すれば、解除操作部を器具ホルダのカバー凹部内に突設させることができ、解除操作部の損傷の防止について、本願補正発明と同様の作用、効果を奏するというべきである。
　
［（ｄ）について］
　引用発明のカバーも下面が凹んでいることから、親指を入れて操作ができると考えられ、他の指で器具の下面を支えることができると考えられる。
　また、引用発明に、前記「（４）判断」で示した周知技術を適用すれば、親指をカバー凹部に、より深く入れることが可能となり、器具を支える機能について、本願補正発明と同様の作用、効果を奏するというべきである。
　
（６）むすび
　以上のとおり、本願補正発明は、引用発明及び周知技術に基づいて、当業者が容易に発明をすることができたものであり、特許法第２９条第２項の規定により特許出願の際独立して特許を受けることができないものであるから、本件補正は、旧法第１７条の２第５項で準用する特許法第１２６条第５項の規定に違反するものであり、同法第１５９条第１項で読み替えて準用する同法第５３条第１項の規定により却下されるべきものである。
　
３．本願発明について
　平成１９年７月１２日付けの手続補正は前記のとおり却下されたので、本件出願の請求項１に係る発明は、平成１６年９月１７日付け手続補正書により補正された特許請求の範囲の請求項１に記載された事項により特定される次のとおりのものである（以下、この発明を「本願発明」という。）。
「係止段を有して天井面に設置された配線器具と、この配線器具に嵌合する嵌合部を有し前記係止段に係脱自在に進退する係止片を前記嵌合部に有しこの係止片を前記係止段に係止する方向に突出付勢するばねを有する器具ホルダを設けた器具本体とを備え、
　前記器具ホルダは、下面および前記嵌合部の双方に連通開口する凹部を有して、前記ばねが前記凹部内に支持されるとともに、前記凹部の下面側を塞ぐカバーを有し、
　前記カバーが前記凹部側に凹んだカバー凹部を有するとともに、前記カバー凹部に操作部用開口を形成したものであり、
　前記係止片は前記凹部内の前記カバーで塞がれた隙間にスライド自在に支持されるとともに、前記係止片を前記ばねに抗して前記係止段から離脱操作する解除操作部を前記凹部から前記操作部用開口を通して前記カバー凹部内に突設したことを特徴とする照明器具取付装置。」
　
４．引用例
　当審で通知した拒絶の理由に引用された引用例、及びその記載事項は、前記「２．（２）」に記載したとおりである。
　
５．対比・判断
　本願発明は、前記「２．」で検討した本願補正発明の「カバー凹部」、「係止片」について、上位概念化したものである。
　そうすると、本願発明をより限定したものに相当する本願補正発明は、前記「２．（６）」に記載したとおり、引用発明及び周知技術に基づいて、当業者が容易に発明をすることができたものであるから、本願発明も同様の理由により、引用発明及び周知技術に基づいて、当業者が容易に発明をすることができたものである。
　
６．むすび
　以上のとおり、本願発明については、特許法第２９条第２項の規定により特許を受けることができないから、本件出願は拒絶されるべきものである。
　
　よって、結論のとおり審決する。